(57)【要約】      （修正有）【課題】上部より貯留内部を観察できる観察用の通路又は、水排出用の通路を容易に確保できる貯留装置の提供。【解決手段】全ての直線状の山部が並行になるように、全ての第１の積層構成部材Ｓ１の外側左右に第２の積層構成部材Ｓ２の長辺が第１の積層構成部材Ｓ１に一致するように接触又は近接して敷き詰めた第１の併設形態K1と、第１の併設形態K1と直線状の山部が直交するように、前記第１の併設形態の第２の積層構成部材Ｓ２と第２の積層構成部材Ｓ２又は第１の積層構成部材Ｓ１と第２の積層構成部材Ｓ２の角部で形成される十文字の交点位置に第１の積層構成部材Ｓ１の中心が位置するように敷き詰め、残りの部位に第１の積層構成部材Ｓ１又は第２の積層構成部材Ｓ２を敷き詰めた第２の併設形態K2とからなり、第１の併設形態K1と第２の併設形態K2とを交互に積み重ね、第１の積層構成部材Ｓ１及び第２の積層構成部材に設けた穴位置を上下一致させる。【選択図】図７
2008025289.tif 000002
【特許請求の範囲】
【請求項１】
貯留部内に、積層構成部材を積層すると共に、積層した前記積層構成部材と前記積層構成部材との間の空間に水を貯留する貯留装置であって、
前記積層構成部材は、少なくとも、複数の第１の積層構成部材と複数の第２の積層構成部材とを有し、
前記第１の積層構成部材は、平面視、２Ｌ×２Ｌの正方形で、該正方形の一辺に沿って設けられた直線状の山部と谷部を備え、前記直線状の山部は、少なくとも、二つ有し、    前記二つの山部の間に前記谷部が位置すると共に、平面視、前記正方形の対向する辺の中央を結ぶと共に、前記直線状の山部に平行な対称線に対して、前記二つの山部と前記谷部は対称位置にあり、前記山部の裏面は凹所であり、
前記第１の積層構成部材は、平面視、正方形で、
前記第１の積層構成部材には、少なくとも、前記正方形の第１の角部の二等分の線上であって、前記第１の角部から１／４×ルート２Ｌの位置に第１の穴が、
前記正方形の第２の角部の二等分の線上であって、前記第２の角部から１／４×ルート２Ｌの位置に第２の穴が、
前記正方形の第３の角部の二等分の線上であって、前記第３の角部から１／４×ルート２Ｌの位置に第３の穴が、
前記正方形の第４の角部の二等分の線上であって、前記第４の角部から１／４×ルート２Ｌの位置に第４の穴が、それぞれ設けられ、
前記第２の積層構成部材は、平面視、長方形で、前記第１の積層構成部材の対称線に対する一方側の形態と同じものであり、
前記第２の積層構成部材は、平面視、２Ｌ×Ｌの長方形で、
前記第２の積層構成部材には、少なくとも、前記長方形の第１の角部の二等分の線上であって、前記第１の角部から１／４×ルート２Ｌの位置に第５の穴が、
前記長方形の第１の角部に隣接すると共に、長辺２Ｌ側の第２の角部の線上であって、前記第２の角部から１／４×ルート２Ｌの位置に第５の穴が、それぞれ設けられ、
前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、
この第１の併設形態の前記第１の積層構成部材及び前記第２の積層構成部材の直線状の山部は、全て平行であり、
前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、
前記第２の併設形態の前記第１の積層構成部材及び前記第２の積層構成部材の直線状の山部は、全て平行で、前記第１の併設形態の前記第１の積層構成部材及び前記第２の積層構成部材の直線状の山部と直交するものであり、
前記第２の併設形態の上に前記第１の併設形態を、前記第１の併設形態の上に前記第２の併設形態を交互に積み重ねてなり、
前記第１の積層構成部材及び前記第２の積層構成部材に設けた前記穴が、平面視、一致するように構成することを特徴とする貯留装置。
【請求項２】
貯留部内に、積層構成部材を積層すると共に、積層した前記積層構成部材と前記積層構成部材との間の空間に水を貯留する貯留装置であって、
前記積層構成部材は、少なくとも、複数の第１の積層構成部材と複数の第２の積層構成部材とを有し、
前記第１の積層構成部材は、平面視、２Ｌ×２Ｌの正方形で、該正方形の一辺に沿って設けられた直線状の山部と谷部を備え、前記直線状の山部は、少なくとも、二つ有し、    前記二つの山部の間に前記谷部が位置すると共に、平面視、前記正方形の対向する辺の中央を結ぶと共に、前記直線状の山部に平行な対称線に対して、前記二つの山部と前記谷部は対称位置にあり、前記山部の裏面は凹所であり、
前記第１の積層構成部材は、平面視、正方形で、
前記第１の積層構成部材には、少なくとも、前記正方形の第１の角部の二等分の線上であって、前記第１の角部からＸ（０≦Ｘ≦ルート２×Ｌ）の位置に第１の穴が、
前記正方形の第１の角部の二等分の線上であって、前記第１の角部からルート２×Ｌ−Ｘ（０≦Ｘ≦ルート２Ｌ）の位置に第１’の穴が、
前記正方形の第２の角部の二等分の線上であって、前記第２の角部からＸ（０≦Ｘ≦ルート２×Ｌ）の位置に第２の穴が、
前記正方形の第２の角部の二等分の線上であって、前記第２の角部からルート２×Ｌ−Ｘ（０≦Ｘ≦ルート２Ｌ）の位置に第２’の穴が、
前記正方形の第３の角部の二等分の線上であって、前記第３の角部からＸ（０≦Ｘ≦ルート２×Ｌ）の位置に第３の穴が、
前記正方形の第３の角部の二等分の線上であって、前記第３の角部からルート２×Ｌ−Ｘ（０≦Ｘ≦ルート２Ｌ）の位置に第３’の穴が、
前記正方形の第４の角部の二等分の線上であって、前記第４の角部からＸ（０≦Ｘ≦ルート２×Ｌ）の位置に第４の穴が、
前記正方形の第４の角部の二等分の線上であって、前記第４の角部からルート２×Ｌ−Ｘ（０≦Ｘ≦ルート２Ｌ）の位置に第４’の穴が、、それぞれ設けられ、
前記第２の積層構成部材は、平面視、長方形で、前記第１の積層構成部材の対称線に対する一方側の形態と同じものであり、
前記第２の積層構成部材は、平面視、２Ｌ×Ｌの長方形で、
前記第２の積層構成部材には、少なくとも、前記長方形の第１の角部の二等分の線上であって、前記第１の角部からＸ（０≦Ｘ≦ルート２×Ｌ）の位置に第５の穴が、
前記長方形の第１の角部の二等分の線上であって、前記第１の角部からルート２×Ｌ−Ｘ（０≦Ｘ≦ルート２Ｌ）の位置に第５’の穴が、
前記長方形の第１の角部に隣接すると共に、長辺２Ｌ側の第２の角部の線上であって、前記第２の角部からＸ（０≦Ｘ≦ルート２×Ｌ）の位置に第６の穴が、
前記長方形の第１の角部の二等分の線上であって、前記第１の角部からルート２×Ｌ−Ｘ（０≦Ｘ≦ルート２Ｌ）の位置に第６’の穴が、それぞれ設けられ、
前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、
この第１の併設形態の前記第１の積層構成部材及び前記第２の積層構成部材の直線状の山部は、全て平行であり、
前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、
前記第２の併設形態の前記第１の積層構成部材及び前記第２の積層構成部材の直線状の山部は、全て平行で、前記第１の併設形態の前記第１の積層構成部材及び前記第２の積層構成部材の直線状の山部と直交するものであり、
前記第２の併設形態の上に前記第１の併設形態を、前記第１の併設形態の上に前記第２の併設形態を交互に積み重ねてなり、
前記第１の積層構成部材及び前記第２の積層構成部材に設けた前記穴が、平面視、一致するように構成することを特徴とする貯留装置。
【請求項３】
貯留部内に、積層構成部材を積層すると共に、積層した前記積層構成部材と前記積層構成部材との間の空間に水を貯留する貯留装置であって、
前記積層構成部材は、少なくとも、複数の第１の積層構成部材と複数の第２の積層構成部材とを有し、
前記第１の積層構成部材は、平面視、正方形で、平坦な面を有する正方形の頂部と、この頂部を支える少なくとも４個の脚部を備えると共に、平面視、前記正方形の対向する辺の中央を結ぶ対称線に対して、前記４個の脚部は対称位置にあり、
前記第２の積層構成部材は、平面視、長方形で、第１の積層構成部材は、前記第２の積層構成部材の２個並設は、平面視、前記第１の積層構成部材と同形状であり、
前記第１の積層構成部材は、平面視、正方形で、
前記第１の積層構成部材には、少なくとも、前記正方形の第１の角部の二等分の線上であって、前記第１の角部から１／４×ルート２Ｌの位置に第１の穴が、
前記正方形の第２の角部の二等分の線上であって、前記第２の角部から１／４×ルート２Ｌの位置に第２の穴が、
前記正方形の第３の角部の二等分の線上であって、前記第３の角部から１／４×ルート２Ｌの位置に第３の穴が、
前記正方形の第４の角部の二等分の線上であって、前記第４の角部から１／４×ルート２Ｌの位置に第４の穴が、それぞれ設けられ、
前記第２の積層構成部材は、平面視、長方形で、前記第１の積層構成部材の対称線に対する一方側の形態と同じものであり、
前記第２の積層構成部材は、平面視、２Ｌ×Ｌの長方形で、
前記第２の積層構成部材には、少なくとも、前記長方形の第１の角部の二等分の線上であって、前記第１の角部から１／４×ルート２Ｌの位置に第５の穴が、
前記長方形の第１の角部に隣接すると共に、長辺２Ｌ側の第２の角部の線上であって、前記第２の角部から１／４×ルート２Ｌの位置に第５の穴が、それぞれ設けられ、
前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、
前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、
前記第２の併設形態の上に前記第１の併設形態を、前記第１の併設形態の上に前記第２の併設形態を交互に積み重ねてなり、
前記第１の積層構成部材及び前記第２の積層構成部材に設けた前記穴が、平面視、一致するように構成することを特徴とする貯留装置。
【請求項４】
貯留部内に、積層構成部材を積層すると共に、積層した前記積層構成部材と前記積層構成部材との間の空間に水を貯留する貯留装置であって、
前記積層構成部材は、少なくとも、複数の第１の積層構成部材と複数の第２の積層構成部材とを有し、
前記第１の積層構成部材は、平面視、正方形で、平坦な面を有する正方形の頂部と、この頂部を支える少なくとも４個の脚部を備えると共に、平面視、前記正方形の対向する辺の中央を結ぶ対称線に対して、前記４個の脚部は対称位置にあり、
前記第２の積層構成部材は、平面視、長方形で、第１の積層構成部材は、前記第２の積層構成部材の２個並設は、平面視、前記第１の積層構成部材と同形状であり、
前記第１の積層構成部材は、平面視、正方形で、
前記第１の積層構成部材には、少なくとも、前記正方形の第１の角部の二等分の線上であって、前記第１の角部からＸ（０≦Ｘ≦ルート２×Ｌ）の位置に第１の穴が、
前記正方形の第１の角部の二等分の線上であって、前記第１の角部からルート２×Ｌ−Ｘ（０≦Ｘ≦ルート２Ｌ）の位置に第１’の穴が、
前記正方形の第２の角部の二等分の線上であって、前記第２の角部からＸ（０≦Ｘ≦ルート２×Ｌ）の位置に第２の穴が、
前記正方形の第２の角部の二等分の線上であって、前記第２の角部からルート２×Ｌ−Ｘ（０≦Ｘ≦ルート２Ｌ）の位置に第２’の穴が、
前記正方形の第３の角部の二等分の線上であって、前記第３の角部からＸ（０≦Ｘ≦ルート２×Ｌ）の位置に第３の穴が、
前記正方形の第３の角部の二等分の線上であって、前記第３の角部からルート２×Ｌ−Ｘ（０≦Ｘ≦ルート２Ｌ）の位置に第３’の穴が、
前記正方形の第４の角部の二等分の線上であって、前記第４の角部からＸ（０≦Ｘ≦ルート２×Ｌ）の位置に第４の穴が、
前記正方形の第４の角部の二等分の線上であって、前記第４の角部からルート２×Ｌ−Ｘ（０≦Ｘ≦ルート２Ｌ）の位置に第４’の穴が、それぞれ設けられ、
前記第２の積層構成部材は、平面視、長方形で、前記第１の積層構成部材の対称線に対する一方側の形態と同じものであり、
前記第２の積層構成部材は、平面視、２Ｌ×Ｌの長方形で、前記第２の積層構成部材には、少なくとも、前記長方形の第１の角部の二等分の線上であって、前記第１の角部からＸ（０≦Ｘ≦ルート２×Ｌ）の位置に第５の穴が、
前記長方形の第１の角部の二等分の線上であって、前記第１の角部からルート２×Ｌ−Ｘ（０≦Ｘ≦ルート２Ｌ）の位置に第５’の穴が、
前記長方形の第１の角部に隣接すると共に、長辺２Ｌ側の第２の角部の線上であって、前記第２の角部からＸ（０≦Ｘ≦ルート２×Ｌ）の位置に第６の穴が、
前記長方形の第１の角部の二等分の線上であって、前記第１の角部からルート２×Ｌ−Ｘ（０≦Ｘ≦ルート２Ｌ）の位置に第６’の穴が、それぞれ設けられ、
前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、
前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、
前記第２の併設形態の上に前記第１の併設形態を、前記第１の併設形態の上に前記第２の併設形態を交互に積み重ねてなり、
前記第１の積層構成部材及び前記第２の積層構成部材に設けた前記穴が、平面視、一致するように構成することを特徴とする貯留装置。
【発明の詳細な説明】
【技術分野】
【０００１】
本発明は、貯留装置に係り、特に、上部より貯留内部を観察できる観察用の通路又は、水排出用の通路を容易に確保することができる貯留装置に関する。
【背景技術】
【０００２】
本件発明者は、先に、断面の形状が連続する略山形の山形部を有し、前記断面と直交する方向に略同一断面で延びる形状を有する骨格部材と、この骨格部材を積層して形成される積層構造物を開示した（特許文献１参照）。
この種の積層構造物を「水を溜める貯留装置」内に設置した場合、長期の使用により、貯留装置内に土砂等が蓄積するため、貯留装置に上方から下方に貫いた観察用の通路が必要となる場合がある。
かかる場合、骨格部材の所定位置に穴を開けると共に、該穴が上下一致するように積層しなければならない。
しかしながら、時として、穴が上下一致するように積層し忘れたり、また、急きょ、観察用の通路を変更しなければならない場合、対応しにくいという問題点が生じた。
【特許文献１】特許第２９０１９５９号公報
【発明の開示】
【発明が解決しようとする課題】
【０００３】
本発明は、上記の問題点を除去するようにした貯留装置を提供することを目的とする。
【課題を解決するための手段】
【０００４】
上記目的を達成するために、本発明の貯留装置は、貯留部内に、積層構成部材を積層すると共に、積層した前記積層構成部材と前記積層構成部材との間の空間に水を貯留する貯留装置であって、前記積層構成部材は、少なくとも、複数の第１の積層構成部材と複数の第２の積層構成部材とを有し、前記第１の積層構成部材は、平面視、２Ｌ×２Ｌの正方形で、該正方形の一辺に沿って設けられた直線状の山部と谷部を備え、前記直線状の山部は、少なくとも、二つ有し、前記二つの山部の間に前記谷部が位置すると共に、平面視、前記正方形の対向する辺の中央を結ぶと共に、前記直線状の山部に平行な対称線に対して、前記二つの山部と前記谷部は対称位置にあり、前記山部の裏面は凹所であり、前記第１の積層構成部材は、平面視、正方形で、前記第１の積層構成部材には、少なくとも、前記正方形の第１の角部の二等分の線上であって、前記第１の角部から１／４×ルート２Ｌの位置に第１の穴が、前記正方形の第２の角部の二等分の線上であって、前記第２の角部から１／４×ルート２Ｌの位置に第２の穴が、前記正方形の第３の角部の二等分の線上であって、前記第３の角部から１／４×ルート２Ｌの位置に第３の穴が、前記正方形の第４の角部の二等分の線上であって、前記第４の角部から１／４×ルート２Ｌの位置に第４の穴が、それぞれ設けられ、前記第２の積層構成部材は、平面視、長方形で、前記第１の積層構成部材の対称線に対する一方側の形態と同じものであり、前記第２の積層構成部材は、平面視、２Ｌ×Ｌの長方形で、前記第２の積層構成部材には、少なくとも、前記長方形の第１の角部の二等分の線上であって、前記第１の角部から１／４×ルート２Ｌの位置に第５の穴が、前記長方形の第１の角部に隣接すると共に、長辺２Ｌ側の第２の角部の線上であって、前記第２の角部から１／４×ルート２Ｌの位置に第５の穴が、それぞれ設けられ、前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、
この第１の併設形態の前記第１の積層構成部材及び前記第２の積層構成部材の直線状の山部は、全て平行であり、前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、前記第２の併設形態の前記第１の積層構成部材及び前記第２の積層構成部材の直線状の山部は、全て平行で、前記第１の併設形態の前記第１の積層構成部材及び前記第２の積層構成部材の直線状の山部と直交するものであり、前記第２の併設形態の上に前記第１の併設形態を、前記第１の併設形態の上に前記第２の併設形態を交互に積み重ねてなり、前記第１の積層構成部材及び前記第２の積層構成部材に設けた前記穴が、平面視、一致するように構成するものである。  
【０００５】
また、請求項２記載の貯留装置は、貯留部内に、積層構成部材を積層すると共に、積層した前記積層構成部材と前記積層構成部材との間の空間に水を貯留する貯留装置であって、前記積層構成部材は、少なくとも、複数の第１の積層構成部材と複数の第２の積層構成部材とを有し、前記第１の積層構成部材は、平面視、２Ｌ×２Ｌの正方形で、該正方形の一辺に沿って設けられた直線状の山部と谷部を備え、前記直線状の山部は、少なくとも、二つ有し、    前記二つの山部の間に前記谷部が位置すると共に、平面視、前記正方形の対向する辺の中央を結ぶと共に、前記直線状の山部に平行な対称線に対して、前記二つの山部と前記谷部は対称位置にあり、前記山部の裏面は凹所であり、前記第１の積層構成部材は、平面視、正方形で、前記第１の積層構成部材には、少なくとも、前記正方形の第１の角部の二等分の線上であって、前記第１の角部からＸ（０≦Ｘ≦ルート２×Ｌ）の位置に第１の穴が、前記正方形の第１の角部の二等分の線上であって、前記第１の角部からルート２×Ｌ−Ｘ（０≦Ｘ≦ルート２Ｌ）の位置に第１’の穴が、前記正方形の第２の角部の二等分の線上であって、前記第２の角部からＸ（０≦Ｘ≦ルート２×Ｌ）の位置に第２の穴が、前記正方形の第２の角部の二等分の線上であって、前記第２の角部からルート２×Ｌ−Ｘ（０≦Ｘ≦ルート２Ｌ）の位置に第２’の穴が、前記正方形の第３の角部の二等分の線上であって、前記第３の角部からＸ（０≦Ｘ≦ルート２×Ｌ）の位置に第３の穴が、前記正方形の第３の角部の二等分の線上であって、前記第３の角部からルート２×Ｌ−Ｘ（０≦Ｘ≦ルート２Ｌ）の位置に第３’の穴が、前記正方形の第４の角部の二等分の線上であって、前記第４の角部からＸ（０≦Ｘ≦ルート２×Ｌ）の位置に第４の穴が、前記正方形の第４の角部の二等分の線上であって、前記第４の角部からルート２×Ｌ−Ｘ（０≦Ｘ≦ルート２Ｌ）の位置に第４’の穴が、、それぞれ設けられ、前記第２の積層構成部材は、平面視、長方形で、前記第１の積層構成部材の対称線に対する一方側の形態と同じものであり、前記第２の積層構成部材は、平面視、２Ｌ×Ｌの長方形で、前記第２の積層構成部材には、少なくとも、前記長方形の第１の角部の二等分の線上であって、前記第１の角部からＸ（０≦Ｘ≦ルート２×Ｌ）の位置に第５の穴が、前記長方形の第１の角部の二等分の線上であって、前記第１の角部からルート２×Ｌ−Ｘ（０≦Ｘ≦ルート２Ｌ）の位置に第５’の穴が、前記長方形の第１の角部に隣接すると共に、長辺２Ｌ側の第２の角部の線上であって、前記第２の角部からＸ（０≦Ｘ≦ルート２×Ｌ）の位置に第６の穴が、前記長方形の第１の角部の二等分の線上であって、前記第１の角部からルート２×Ｌ−Ｘ（０≦Ｘ≦ルート２Ｌ）の位置に第６’の穴が、それぞれ設けられ、前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の���辺に前記第２の積層構成部材の長手方向の辺が、それぞれ一致するように接触又は近接して敷き詰められた第１の併設形態と、この第１の併設形態の前記第１の積層構成部材及び前記第２の積層構成部材の直線状の山部は、全て平行であり、
前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、前記第２の併設形態の前記第１の積層構成部材及び前記第２の積層構成部材の直線状の山部は、全て平行で、前記第１の併設形態の前記第１の積層構成部材及び前記第２の積層構成部材の直線状の山部と直交するものであり、前記第２の併設形態の上に前記第１の併設形態を、前記第１の併設形態の上に前記第２の併設形態を交互に積み重ねてなり、前記第１の積層構成部材及び前記第２の積層構成部材に設けた前記穴が、平面視、一致するように構成するものである。
【０００６】
また、請求項３記載の貯留装置は、貯留部内に、積層構成部材を積層すると共に、積層した前記積層構成部材と前記積層構成部材との間の空間に水を貯留する貯留装置であって、前記積層構成部材は、少なくとも、複数の第１の積層構成部材と複数の第２の積層構成部材とを有し、前記第１の積層構成部材は、平面視、正方形で、平坦な面を有する正方形の頂部と、この頂部を支える少なくとも４個の脚部を備えると共に、平面視、前記正方形の対向する辺の中央を結ぶ対称線に対して、前記４個の脚部は対称位置にあり、前記第２の積層構成部材は、平面視、長方形で、第１の積層構成部材は、前記第２の積層構成部材の２個並設は、平面視、前記第１の積層構成部材と同形状であり、前記第１の積層構成部材は、平面視、正方形で、前記第１の積層構成部材には、少なくとも、前記正方形の第１の角部の二等分の線上であって、前記第１の角部から１／４×ルート２Ｌの位置に第１の穴が、前記正方形の第２の角部の二等分の線上であって、前記第２の角部から１／４×ルート２Ｌの位置に第２の穴が、前記正方形の第３の角部の二等分の線上であって、前記第３の角部から１／４×ルート２Ｌの位置に第３の穴が、前記正方形の第４の角部の二等分の線上であって、前記第４の角部から１／４×ルート２Ｌの位置に第４の穴が、それぞれ設けられ、前記第２の積層構成部材は、平面視、長方形で、前記第１の積層構成部材の対称線に対する一方側の形態と同じものであり、前記第２の積層構成部材は、平面視、２Ｌ×Ｌの長方形で、前記第２の積層構成部材には、少なくとも、前記長方形の第１の角部の二等分の線上であって、前記第１の角部から１／４×ルート２Ｌの位置に第５の穴が、前記長方形の第１の角部に隣接すると共に、長辺２Ｌ側の第２の角部の線上であって、前記第２の角部から１／４×ルート２Ｌの位置に第５の穴が、それぞれ設けられ、前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、前記第２の併設形態の上に前記第１の併設形態を、前記第１の併設形態の上に前記第２の併設形態を交互に積み重ねてなり、前記第１の積層構成部材及び前記第２の積層構成部材に設けた前記穴が、平面視、一致するように構成するものである。
【０００７】
また、請求項４記載の貯留装置は、貯留部内に、積層構成部材を積層すると共に、積層した前記積層構成部材と前記積層構成部材との間の空間に水を貯留する貯留装置であって、前記積層構成部材は、少なくとも、複数の第１の積層構成部材と複数の第２の積層構成部材とを有し、前記第１の積層構成部材は、平面視、正方形で、平坦な面を有する正方形の頂部と、この頂部を支える少なくとも４個の脚部を備えると共に、平面視、前記正方形の対向する辺の中央を結ぶ対称線に対して、前記４個の脚部は対称位置にあり、前記第２の積層構成部材は、平面視、長方形で、第１の積層構成部材は、前記第２の積層構成部材の２個並設は、平面視、前記第１の積層構成部材と同形状であり、前記第１の積層構成部材は、平面視、正方形で、前記第１の積層構成部材には、少なくとも、前記正方形の第１の角部の二等分の線上であって、前記第１の角部からＸ（０≦Ｘ≦ルート２×Ｌ）の位置に第１の穴が、前記正方形の第１の角部の二等分の線上であって、前記第１の角部からルート２×Ｌ−Ｘ（０≦Ｘ≦ルート２Ｌ）の位置に第１’の穴が、前記正方形の第２の角部の二等分の線上であって、前記第２の角部からＸ（０≦Ｘ≦ルート２×Ｌ）の位置に第２の穴が、前記正方形の第２の角部の二等分の線上であって、前記第２の角部からルート２×Ｌ−Ｘ（０≦Ｘ≦ルート２Ｌ）の位置に第２’の穴が、前記正方形の第３の角部の二等分の線上であって、前記第３の角部からＸ（０≦Ｘ≦ルート２×Ｌ）の位置に第３の穴が、前記正方形の第３の角部の二等分の線上であって、前記第３の角部からルート２×Ｌ−Ｘ（０≦Ｘ≦ルート２Ｌ）の位置に第３’の穴が、前記正方形の第４の角部の二等分の線上であって、前記第４の角部からＸ（０≦Ｘ≦ルート２×Ｌ）の位置に第４の穴が、前記正方形の第４の角部の二等分の線上であって、前記第４の角部からルート２×Ｌ−Ｘ（０≦Ｘ≦ルート２Ｌ）の位置に第４’の穴が、それぞれ設けられ、前記第２の積層構成部材は、平面視、長方形で、前記第１の積層構成部材の対称線に対する一方側の形態と同じものであり、前記第２の積層構成部材は、平面視、２Ｌ×Ｌの長方形で、前記第２の積層構成部材には、少なくとも、前記長方形の第１の角部の二等分の線上であって、前記第１の角部からＸ（０≦Ｘ≦ルート２×Ｌ）の位置に第５の穴が、前記長方形の第１の角部の二等分の線上であって、前記第１の角部からルート２×Ｌ−Ｘ（０≦Ｘ≦ルート２Ｌ）の位置に第５’の穴が、前記長方形の第１の角部に隣接すると共に、長辺２Ｌ側の第２の角部の線上であって、前記第２の角部からＸ（０≦Ｘ≦ルート２×Ｌ）の位置に第６の穴が、前記長方形の第１の角部の二等分の線上であって、前記第１の角部からルート２×Ｌ−Ｘ（０≦Ｘ≦ルート２Ｌ）の位置に第６’の穴が、それぞれ設けられ、前記第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に前記第２の積層構成部材の長手方向の辺が、前記縦方向の右端部に位置する全ての前記第１の積層構成部材の縦方向の右端部の���辺に前記第２の積層構成部材の長手方向の辺が、それぞれ一致するように接触又は近接して敷き詰められた第１の併設形態と、前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、前記第２の併設形態の上に前記第１の併設形態を、前記第１の併設形態の上に前記第２の併設形態を交互に積み重ねてなり、前記第１の積層構成部材及び前記第２の積層構成部材に設けた前記穴が、平面視、一致するように構成するものである。
【発明の効果】
【０００８】
請求項１〜４記載の貯留装置によれば、第１の積層構成部材を、平面視、横方向及び縦方向に並設すると共に、前記並設は、隣接する前記第１の積層構成部材の一辺同士が一致するように接触又は近接するものであり、前記縦方向の左端部に位置する全ての前記第１の積層構成部材の縦方向の左端部の一辺に第２の積層構成部材の長手方向の辺が、前記縦方向の右端部に位置する全ての前記第１の積層構成部材の縦方向の右端部の一辺に前記第２の積層構成部材の長手方向の辺が、それぞれ一致するように接触又は近接して敷き詰められた第１の併設形態と、この第１の併設形態の前記第１の積層構成部材及び前記第２の積層構成部材の直線状の山部は、全て平行であり、前記第１の併設形態の前記第２の積層構成部材と前記第２の積層構成部材又は、前記第１の積層構成部材と前記第２の積層構成部材の角部で形成される十文字の交点位置に前記第１の積層構成部材の中心が位置するように敷き詰め、該敷き詰めた前記第１の積層構成部材の残りの部位に前記第１の積層構成部材又は前記第２の積層構成部材を敷き詰めて、平面視、前記第１の併設形態を覆う第２の併設形態と、前記第２の併設形態の前記第１の積層構成部材及び前記第２の積層構成部材の直線状の山部は、全て平行で、前記第１の併設形態の前記第１の積層構成部材及び前記第２の積層構成部材の直線状の山部と直交するものであり、前記第２の併設形態の上に前記第１の併設形態を、前記第１の併設形態の上に前記第２の併設形態を交互に積み重ねてなり、前記第１の積層構成部材及び前記第２の積層構成部材に設けた前記穴が、平面視、一致するように構成したため、上部より貯留内部を観察できる観察用の通路、水排出用の通路、貯留部内への滴下水の通路を、容易に確保することができる。
【発明を実施するための最良の形態】
【０００９】
本発明の一実施例である貯留装置を図面を参照して説明する。
図１に示す符号Ｔは貯留装置で、貯留装置Ｔは、貯留部内に、積層構成部材Ｓを積層すると共に、積層した積層構成部材Ｓと積層構成部材Ｓとの間の空間に水を貯留するものである（図１及び図２参照）。
上述した貯留部は、例えば、地面又は地中に形成された凹所の周囲を遮水部材１で形成された部位である。１０は、貯留装置Ｔ内の貯留部に水を供給する供給通路であり、２０は、貯留装置Ｔ内の水を貯留部の外へ排出する水排出用の通路であり、３０は、上部より貯留内部を観察できる観察用の通路で、３１は、観察用の通路３０の上方開口部を開閉する蓋である。
【００１０】
積層構成部材Ｓは、少なくとも、複数の第１の積層構成部材Ｓ１と複数の第２の積層構成部材Ｓ２とを有する（図３参照）。
第１の積層構成部材Ｓ１は、平面視、２Ｌ×２Ｌの正方形で（図４参照）、第１の積層構成部材Ｓ１には、少なくとも、該正方形の一辺に沿って設けられた直線状の山部２と谷部３を備え、直線状の山部２は、少なくとも、二つ有し（図３及び図４では、直線状の山部２は、四個であるが、図１０及び図１１に示すように、２個でも良い。直線状の山部２は、少なくとも、二つ有していれば良い。  ）、二つの山部２、２の間に直線状の谷部３（図３では、谷部３個であるが、図１０及び図１１に示すように、１個でも良い。なお図１０及び図１１に示したＭ、Ｎ、Ｍ’は、第１の積層構成部材Ｓ１又は第２の積層構成部材Ｓ２の下方端部が、係止する被係止部（例えば、凹部）である。）が位置すると共に、平面視、正方形の対向する辺の中央を結ぶと共に、直線状の山部２、２に平行な対称線（図３、図１１で言えば、ＡＢ）に対して、二つの山部２、２と谷部３は対称位置にある。なお、山部２の裏面は凹所２ａとなっている（図４、図６及び図１０参照）。
【００１１】
第１の積層構成部材Ｓ１は、例えば、合成樹脂製で、図４に示すように、平面視、正方形（ＣＤＥＦ）で、正方形（ＣＤＥＦ）の第１の角部Ｃの二等分の線上（ＣＥ）であって、第１の角部Ｃから１／４×ルート２Ｌの位置に第１の穴４が、正方形（ＣＤＥＦ）の第２の角部Ｄの二等分の線上（ＤＦ）であって、第２の角部Ｄから１／４×ルート２Ｌの位置に第２の穴５が、正方形（ＣＤＥＦ）の第３の角部Ｅの二等分の線上（ＥＣ）であって、第３の角部Ｅから１／４×ルート２Ｌの位置に第３の穴６が、正方形（ＣＤＥＦ）の第４の角部Ｆの二等分の線上（ＦＤ）であって、第４の角部Ｆから１／４×ルート２Ｌの位置に第４の穴７が、それぞれ設けられている。
【００１２】
第２の積層構成部材Ｓ２は、平面視、２Ｌ×Ｌの長方形（Ｃ’Ａ  Ｂ  Ｆ’）で、第１の積層構成部材Ｓ１の対称線（図３で言えば、ＡＢ）に対する一方側の形態と同じものであり、第２の積層構成部材Ｓ２には、少なくとも、長方形（Ｃ’Ａ  Ｂ  Ｆ’）の第１の角部Ｃ’の二等分の線上（Ｃ’Ｏ）であって、第１の角部Ｃ’から１／４×ルート２Ｌの位置に第５の穴８が、長方形（Ｃ’Ａ  Ｂ  Ｆ’）の第１の角部Ｃ’に隣接すると共に、長辺２Ｌ側の第２の角部Ｆ’の二等分の線上（Ｆ’Ｏ）であって、第２の角部Ｆ’から１／４×ルート２Ｌの位置に第６の穴９が、それぞれ設けられている。なお、Ｏは、ＡＢの中点である。
【００１３】
そして、図７の下方に示すように、１段目において、第１の積層構成部材Ｓ１を、平面視、横方向及び縦方向に並設（本実施例では、第１の積層構成部材Ｓ１を横に２個、縦に２個並設し、並設した第１の積層構成部材Ｓ１の直線状の山部２は共に平行で、図示では、垂直方向となっている。）すると共に、前記並設は、隣接する第１の積層構成部材Ｓ１の一辺同士が一致するように接触（又は近接）するようにする。
縦方向の左端部に位置する全ての第１の積層構成部材Ｓ１（本実施例では、縦方向の左端部に位置する第１の積層構成部材Ｓ１は、２個）の縦方向の左端部の一辺に第２の積層構成部材Ｓ２（本実施例では、縦方向の左端部に位置する第２の積層構成部材Ｓ２は、２個）の長手方向の辺が、前記縦方向の右端部に位置する全ての第１の積層構成部材Ｓ１（本実施例では、縦方向の右端部に位置する第２の積層構成部材Ｓ２は、２個）の縦方向の右端部の一辺に第２の積層構成部材Ｓ２の長手方向の辺が、それぞれ一致するように接触（又は近接）して敷き詰められ、第１の併設形態Ｋ１を形成する。
なお、第１の併設形態Ｋ１の第１の積層構成部材Ｓ１及び第２の積層構成部材Ｓ２の直線状の山部２は、全て平行となっている。図７では、直線状の山部２は、垂直方向となっている。
【００１４】
２段目に位置する第２の併設形態Ｋ２は、第１の併設形態Ｋ１を覆うもので、先ず、第２の併設形態Ｋ２においては、第１の併設形態Ｋ１の第２の積層構成部材Ｓ２と第２の積層構成部材Ｓ２又は、第１の積層構成部材Ｓ１と第２の積層構成部材Ｓ２の角部で形成される十文字の交点位置、言い換えれば、第１の積層構成部材Ｓ１と第２の積層構成部材Ｓ２の角部が十文字にクロスする位置（図７で、言えば、１段目におけるＸ１、Ｘ２、Ｘ３）に第１の積層構成部材Ｓ１の中心（Ｙ１、Ｙ２、Ｙ３）が位置するように敷き詰める。
つまり、図７の１段目における左に位置するＸ１には、２段目の左に位置する第１の積層構成部材Ｓ１の中心Ｙ１が、図７の１段目における中央に位置するＸ２には、２段目の中央に位置する第１の積層構成部材Ｓ１の中心Ｙ２が、図７の１段目における右に位置するＸ３には、２段目の右に位置する第１の積層構成部材Ｓ１の中心Ｙ３が、一致するようにそれぞれ敷き詰められる。
敷き詰めた第１の積層構成部材Ｓ１の残りの部位には、第２の積層構成部材Ｓ２（図７の２段目で言えば、中心がＹ１である第１の積層構成部材Ｓ１の上と下に第２の積層構成部材Ｓ２を１個ずつ、中心がＹ２である第１の積層構成部材Ｓ１の上と下に第２の積層構成部材Ｓ２を１個ずつ、中心がＹ３である第１の積層構成部材Ｓ１の上と下に第２の積層構成部材Ｓ２を１個ずつ）を敷き詰めて、平面視、第１の併設形態Ｋ１を覆うようにする（第２の併設形態）。
なお、本実施例では、敷き詰めた第１の積層構成部材Ｓ１の残りの部位に敷き詰める部材は、第２の積層構成部材Ｓ２のみであったが、敷き詰めるスペースがあれば、第１の積層構成部材Ｓ１を敷き詰めても良い。
また、第２の併設形態Ｋ２の第１の積層構成部材Ｓ１及び第２の積層構成部材Ｓ２の直線状の山部２は、全て平行で、図７では、直線状の山部２は、水平方向となっており、第１の併設形態Ｋ１の第１の積層構成部材Ｓ１及び第２の積層構成部材Ｓ２の直線状の山部２と直交するようになっている。そして、第２の併設形態Ｋ２（二段目）の上に第１の併設形態Ｋ１（三段目）を、第１の併設形態Ｋ（三段目）１の上に第２の併設形態Ｋ２（四段目）を交互に逐次積み重ねていく（図７〜図９参照）。
その結果、第１の積層構成部材Ｓ１及び第２の積層構成部材Ｓ２に設けた穴４、５、６、７、８、９が、平面視、一致するように構成される。
従って、一致した穴４、５、６、７、８、９が多数形成されるため、上部より貯留内部を観察できる観察用の通路３０又は、水排出用の通路２０を、容易に確保することができる（図1参照）。
なお、観察用の通路３０にあっては、蓋３１を開け、ＣＣＤカメラ（図示せず）を上方から入れて貯留内の底部の土砂等の蓄積状態を観察することができ、土砂等が多い場合、一致した穴を利用してバキューム等の排出パイプ（図示せず）を貯留内部に入れて蓄積した土砂等を外部へ排出することができる。
【００１５】
なお、上述した実施例においては、一段目に第１の併設形態Ｋ１、二段目に第２の併設形態Ｋ２としたが、本発明にあっては、これに限らず、逆に、一段目に第２の併設形態Ｋ２、二段目に第１の併設形態Ｋ１としても良く、要は、第１の併設形態Ｋ１と第２の併設形態Ｋ２を交互にして詰み重ねていけば良い。
【００１６】
また、上述した実施例（図７）においては、平面視、長方形であったが、本発明にあっては、これに限らず、正方形（図示せず）でも良く、また、階段状部を有していても良い。即ち、図１２に示すように、１段目において、第１の積層構成部材Ｓ１を、平面視、横方向及び縦方向に並設（第１の積層構成部材Ｓ１を横に３個、縦に１個）すると共に、前記並設は、隣接する第１の積層構成部材Ｓ１の一辺同士が一致するように接触（又は近接）するようにする。
縦方向の左端部に位置する全ての第１の積層構成部材Ｓ１（本実施例では、縦方向の左端部に位置する第１の積層構成部材Ｓ１は、２個）の縦方向の左端部の一辺に第２の積層構成部材Ｓ２（本実施例では、縦方向の左端部に位置する第２の積層構成部材Ｓ２は、２個）の長手方向の辺が、前記縦方向の右端部に位置する全ての第１の積層構成部材Ｓ１（本実施例では、縦方向の右端部に位置する第２の積層構成部材Ｓ２は、２個）の縦方向の右端部の一辺に第２の積層構成部材Ｓ２の長手方向の辺が、それぞれ一致するように接触（又は近接）して敷き詰められ、第１の併設形態Ｋ１を形成する。
このように、１段目において、第１の積層構成部材Ｓ１を、平面視、横方向及び縦方向に並設し、並設した複数の第１の積層構成部材Ｓ１の内、端部に位置する第１の積層構成部材Ｓ１の左サイドと右サイドには、第２の積層構成部材Ｓ２が位置するようにする。    なお、図１２において、第１の積層構成部材Ｓ１及び第２の積層構成部材Ｓ２の直線状の山部２は、省略しているが、図１２においても、第１の併設形態Ｋ１の第１の積層構成部材Ｓ１及び第２の積層構成部材Ｓ２の直線状の山部２は、全て平行で、図１２では、直線状の山部２は、垂直方向となっている。
【００１７】
２段目に位置する第２の併設形態Ｋ２においては、第１の併設形態Ｋ１の第１の積層構成部材Ｓ１と第２の積層構成部材Ｓ２の角部で形成される十文字の交点位置、言い換えれば、第１の積層構成部材Ｓ１と第２の積層構成部材Ｓ２の角部が十文字にクロスする位置（図１２で、言えば、１段目におけるＸ４、Ｘ５）に第１の積層構成部材Ｓ１の中心が位置するように敷き詰める。
つまり、図１２の１段目における左に位置するＸ４には、２段目の中央の左に位置する第１の積層構成部材Ｓ１の中心Ｙ４が、図１２の１段目における右に位置するＸ５には、２段目の中央の右に位置する第１の積層構成部材Ｓ１の中心Ｙ５が、一致するようにそれぞれ敷き詰められる。
敷き詰めた第１の積層構成部材Ｓ１の残りの部位には、第１の積層構成部材Ｓ１、第２の積層構成部材Ｓ２を敷き詰めて、平面視、第１の併設形態Ｋ１を覆うようにする（第２の併設形態）。
なお、図１２において、第１の積層構成部材Ｓ１及び第２の積層構成部材Ｓ２の直線状の山部２は、省略しているが、図１２においても、第２の併設形態Ｋ２の第１の積層構成部材Ｓ１及び第２の積層構成部材Ｓ２の直線状の山部２は、全て平行で、図１２では、直線状の山部２は、水平方向となっており、第１の併設形態Ｋ１の第１の積層構成部材Ｓ１及び第２の積層構成部材Ｓ２の直線状の山部２と直交するようになっている。そして、第２の併設形態Ｋ２（二段目）の上に第１の併設形態Ｋ１（三段目）を、第１の併設形態Ｋ（三段目）１の上に第２の併設形態Ｋ２（四段目）を交互に逐次積み重ねていく。その結果、上述した実施例と同様に、第１の積層構成部材Ｓ１及び第２の積層構成部材Ｓ２に設けた穴４、５、６、７、８、９が、平面視、一致するように構成される。
【００１８】
なお、上述した実施例においては、第１の積層構成部材Ｓ１に設けた穴は、少なくとも、４個、第２の積層構成部材に設けた穴は、少なくとも、２個であるが、本発明にあっては、これに限らず、積層構成部材Ｓを「少なくとも、穴８個を有した第１の積層構成部材Ｓ１」と、「少なくとも、穴４個を有した第２の積層構成部材Ｓ２」（図１３参照）としても、上述した実施例と同様に、図１３記載の第１の積層構成部材Ｓ１及び第２の積層構成部材Ｓ２に設けた穴４、４’、５、５’、６、６’、７、７’、８、８’、９、９’が、平面視、一致するように構成することができる。
【００１９】
即ち、第１の積層構成部材Ｓ１は、平面視、２Ｌ×２Ｌの正方形（ＣＤＥＦ）で、正方形（ＣＤＥＦ）の第１の角部Ｃの二等分の線上であって、第１の角部ＣからＸ（０≦Ｘ≦ルート２×Ｌ）の位置に第１の穴４が、正方形（ＣＤＥＦ）の第１の角部Ｃの二等分の線上であって、第１の角部Ｃからルート２×Ｌ−Ｘ（０≦Ｘ≦ルート２Ｌ）の位置に第１’の穴４’が、正方形（ＣＤＥＦ）の第２の角部Ｄの二等分の線上であって、第２の角部ＤからＸ（０≦Ｘ≦ルート２×Ｌ）の位置に第２の穴５が、正方形（ＣＤＥＦ）の第２の角部Ｄの二等分の線上であって、第２の角部Ｄからルート２×Ｌ−Ｘ（０≦Ｘ≦ルート２Ｌ）の位置に第２’の穴５’が、正方形（ＣＤＥＦ）の第３の角部Ｅの二等分の線上であって、第３の角部ＥからＸ（０≦Ｘ≦ルート２×Ｌ）の位置に第３の穴６が、正方形（ＣＤＥＦ）の第３の角部Ｅの二等分の線上であって、第３の角部Ｅからルート２×Ｌ−Ｘ（０≦Ｘ≦ルート２Ｌ）の位置に第３’の穴６’が、正方形（ＣＤＥＦ）の第４の角部Ｆの二等分の線上であって、第４の角部ＦからＸ（０≦Ｘ≦ルート２×Ｌ）の位置に第４の穴７が、正方形（ＣＤＥＦ）の第４の角部Ｆの二等分の線上であって、第４の角部Ｆからルート２×Ｌ−Ｘ（０≦Ｘ≦ルート２Ｌ）の位置に第４’の穴７’が、それぞれ設けられている。
【００２０】
なお、図１３記載の第１の積層構成部材Ｓ１は、穴の位置を除けば、図３記載の第１の積層構成部材Ｓ１と同様で、平面視、２Ｌ×２Ｌの正方形（ＣＤＥＦ）で、該正方形の一辺に沿って設けられた直線状の山部（図示せず）と谷部（図示せず）を備え、前記直線状の山部は、少なくとも、二つ有し、前記二つの山部の間に前記谷部が位置すると共に、平面視、正方形の対向する辺の中央を結ぶと共に、前記直線状の山部に平行な対称線（ＡＢ）に対して、前記二つの山部と前記谷部は対称位置にあり、前記山部の裏面は凹所（図示せず）である。第２の積層構成部材Ｓ２は、平面視、長方形で、第１の積層構成部材Ｓ１の対称線（ＡＢ）に対する一方側の形態と同じものである。
第２の積層構成部材Ｓ２は、図１３の下方に示すように、平面視、２Ｌ×Ｌの長方形（Ｃ’ＡＢＦ’）で、第２の積層構成部材Ｓ２には、少なくとも、該長方形の第１の角部Ｃ’の二等分の線上であって、第１の角部Ｃ’からＸ（０≦Ｘ≦ルート２×Ｌ）の位置に第５の穴８が、長方形の第１の角部Ｃ’の二等分の線上であって、第１の角部Ｃ’からルート２×Ｌ−Ｘ（０≦Ｘ≦ルート２Ｌ）の位置に第５’の穴８’が、長方形の第１の角部Ｃ’に隣接すると共に、長辺２Ｌ側の第２の角部Ｆ’の線上であって、第２の角部Ｆ’からＸ（０≦Ｘ≦ルート２×Ｌ）の位置に第６の穴９が、長方形の第２の角部Ｆ’の二等分の線上であって、第２の角部Ｆ’からルート２×Ｌ−Ｘ（０≦Ｘ≦ルート２Ｌ）の位置に第６’の穴９’が、それぞれ設けられている。
【００２１】
なお、第１の積層構成部材Ｓ１は、上述したものに限らず、図１４及び図１５に示す第１の積層構成部材Ｓ１でも良い。
第１の積層構成部材Ｓ１は、平面視、２Ｌ×２Ｌの正方形（ＣＤＥＦ）で、平坦な面を有する正方形の頂部２１と、この頂部２１を支える少なくとも８個[より望ましくは、図１４に示すように、少なくとも８個、なお、図１４では、８個中Ｆの下方近くに位置する１個の脚部２２が隠れて見えないが、場合により、図１４に示すＣＤＥＦの下方近くに位置にある４個の脚部２２のみ残し、他の脚部２２を省略して、少なくとも、４個の脚部２２としても良い。］の脚部２２を備えると共に、平面視、正方形の対向する辺の中央を結ぶ対称線（ＡＢ）に対して、前記８個の脚部２２は対称位置にある。図１４記載の第１の積層構成部材Ｓ１は、図３記載の第１の積層構成部材Ｓ１のものの山部２、谷部３の起伏が平坦な面を有する正方形の頂部２１に置き換わり、脚部２２及び脚部２２の先端が頂部２１に設けた被係止部（例えば、凹部）Ｍ、Ｎに係止する係止部が付加されている以外は、図３記載の第１の積層構成部材Ｓ１と同様であるので、図１４及び図１５記載の第１の積層構成部材Ｓ１に、図３記載の第１の積層構成部材Ｓ１と同一部分に相当する部分に同一符号を付してその説明を省略する。
また、図１４記載の第２の積層構成部材Ｓ２は、平面視、長方形（Ｃ’ＡＢＦ’）で、第２の積層構成部材Ｓ２は、図１４記載の第１の積層構成部材Ｓ１の対称線（ＡＢ）に対する一方側の形態と同じもので、平坦な面を有する長方形の頂部２１’と、この頂部２１’を支える少なくとも４個の脚部２２’を備えると共に、平面視、長方形の対向する長辺の中央を結ぶ対称線（Ａ’Ｂ’）に対して、前記４個の脚部２２’は対称位置にある。
図１４記載の第２の積層構成部材Ｓ２は、図３記載の第２の積層構成部材Ｓ２のものの山部２、谷部３の起伏が平坦な面を有する長方形の頂部２１’に置き換わり、脚部２２’及び脚部２２’の先端が頂部２１’に設けた被係止部（例えば、凹部）Ｍ’に係止する係止部が付加されている以外は、図３記載の第２の積層構成部材Ｓ２と同様であるので、図１４及び図１５記載の第２の積層構成部材Ｓ２に、図３記載の第１の積層構成部材Ｓ１と同一部分に相当する部分に同一符号を付してその説明を省略する。
【図面の簡単な説明】
【００２２】
【図１】図１は、本発明の一実施例の貯留装置の概略的断面図である。
【図２】図２は、図１の貯留装置の一部の概略的斜視図である。
【図３】図３は、図１の貯留装置を構成する第１の積層構成部材と第２の積層構成部材の概略的斜視図である。
【図４】図４は、図３の第１の積層構成部材の概略的平面図である。
【図５】図５は、図４の５−５線による概略的断面図である。
【図６】図６は、図４の６−６線による概略的断面図である。
【図７】図７は、図１の貯留装置の積層状態を平面的に示した概略的説明図である。
【図８】図８は、図１の貯留装置の積層状態を側面的に示した概略的説明図である。
【図９】図９は、図８の積層状態を側面的に示した概略的説明図である。
【図１０】図１０は、図３の第１の積層構成部材と第２の積層構成部材と異なる他の実施例の概略的斜視図である。
【図１１】図１１は、図１０の概略的平面図である。
【図１２】図１２は、図１０の第１の積層構成部材と第２の積層構成部材による積層状態を平面的に示した概略的説明図である。
【図１３】図１３は、図１０の第１の積層構成部材と第２の積層構成部材と異なる他の実施例の概略的平面図である。
【図１４】図１４は、図１３の概略的斜視図である。
【図１５】図１５は、図１３の第１の積層構成部材と第２の積層構成部材による積層状態の概略的斜視図である。
【符号の説明】
【００２３】
T     貯留装置
Ｓ１    第１の積層構成部材
Ｓ２    第２の積層構成部材
【図１】
2008025289.tif 000003
【図２】
2008025289.tif 000004
【図３】
2008025289.tif 000005
【図４】
2008025289.tif 000006
【図５】
2008025289.tif 000007
【図６】
2008025289.tif 000008
【図７】
2008025289.tif 000009
【図８】
2008025289.tif 000010
【図９】
2008025289.tif 000011
【図１０】
2008025289.tif 000012
【図１１】
2008025289.tif 000013
【図１２】
2008025289.tif 000014
【図１３】
2008025289.tif 000015
【図１４】
2008025289.tif 000016
【図１５】
2008025289.tif 000017